(57)【特許請求の範囲】
【請求項１】
運営会社のサーバで行われるデジタルコンテンツ提供方法において、
提携会社のデバイスから第１のデジタルコンテンツ販売用財貨のチャージ要請を受信するステップと、
前記提携会社のデバイスに前記第１のデジタルコンテンツ販売用財貨を提供するステップと、
前記提携会社のデバイスから前記第１のデジタルコンテンツの数量及びユーザのデバイスの情報を受信するステップと、
前記ユーザのデバイスを前記運営会社のサーバのウェブページへアクセスさせるＵＲＬを前記ユーザのデバイスに送信するステップと、
前記提携会社のデバイスから、前記ウェブページから読み出した情報に基づいて生成された第１のデジタルコンテンツの購入要請を受信するステップと、
前記提携会社のデバイスに提供された前記第１のデジタルコンテンツ販売用財貨を前記第１のデジタルコンテンツの数量に対応する分減少させるステップと、
前記第１のデジタルコンテンツを前記ユーザのデバイスに提供するステップと、
を含む、デジタルコンテンツ提供方法。
【請求項２】
前記ＵＲＬは、前記運営会社のサーバのアドレス及び前記第１のデジタルコンテンツの注文コードに基づいて生成されるものである、請求項１に記載のデジタルコンテンツ提供方法。
【請求項３】
前記ウェブページは、前記注文コードに該当するバーコードが表示されるように構成されたものである、請求項２に記載のデジタルコンテンツ提供方法。
【請求項４】
前記提携会社のデバイスから受信した第１のデジタルコンテンツの購入要請は、前記ユーザのデバイスに表示されたバーコードの情報を含む、請求項３に記載のデジタルコンテンツ提供方法。
【請求項５】
前記第１のデジタルコンテンツ販売用財貨は、第１の財貨及び第２の財貨を含む、請求項１に記載のデジタルコンテンツ提供方法。
【請求項６】
前記第１のデジタルコンテンツ販売用財貨を前記第１のデジタルコンテンツの数量に対応する分減少させるステップは、
前記第１のデジタルコンテンツの販売価格に対応する分前記第１の財貨を減少させるステップと、
前記減少した第１の財貨に対して予め設定された割合だけ前記第２の財貨を増加させるステップと、
を含む、請求項５に記載のデジタルコンテンツ提供方法。
【請求項７】
前記第１のデジタルコンテンツ販売用財貨を前記第１のデジタルコンテンツの数量に対応する分減少させるステップは、
前記第１の財貨よりも前記第２の財貨を優先して減少させる、請求項５に記載のデジタルコンテンツ提供方法。
【請求項８】
前記第１のデジタルコンテンツは、供給会社サーバによって提供される第２のデジタルコンテンツを購入できるように構成されたものである、請求項１に記載のデジタルコンテンツ提供方法。
【請求項９】
デジタルコンテンツの運営会社のサーバにおいて、
提携会社のデバイスから第１のデジタルコンテンツの数量及びユーザのデバイスの情報を受信する受信部と、
前記ユーザのデバイスをウェブページへアクセスさせるＵＲＬを前記ユーザのデバイスに送信するＵＲＬ送信部と、
前記提携会社のデバイスから、前記ウェブページから読み出した情報に基づいて生成された前記第１のデジタルコンテンツの購入要請を受信する購入要請受信部と、
前記提携会社のデバイスに提供された第１のデジタルコンテンツ販売用財貨を前記第１のデジタルコンテンツの数量に対応する分減少させる財貨管理部と、
前記第１のデジタルコンテンツを前記ユーザのデバイスに提供するデジタルコンテンツ提供部と、
を含む、運営会社のサーバ。
【請求項１０】
前記財貨管理部は、前記提携会社のデバイスから前記第１のデジタルコンテンツ販売用財貨のチャージ要請を受信し、前記提携会社のデバイスに前記第１のデジタルコンテンツ販売用財貨を提供する、請求項９に記載の運営会社のサーバ。
【請求項１１】
前記ＵＲＬは、前記運営会社のサーバのアドレス及び前記第１のデジタルコンテンツの注文コードに基づいて生成されるものである、請求項９に記載の運営会社のサーバ。
【請求項１２】
前記ウェブページは、前記注文コードに該当するバーコードが表示されるように構成されたものである、請求項１１に記載の運営会社のサーバ。
【請求項１３】
前記提携会社のデバイスから受信した第１のデジタルコンテンツの購入要請は、前記ユーザのデバイスに表示されたバーコードの情報を含む、請求項１２に記載の運営会社のサーバ。
【請求項１４】
デジタルコンテンツ提供システムにおいて、
運営会社のサーバと、
提携会社のデバイスとを含み、
前記運営会社のサーバは、前記提携会社のデバイスに第１のデジタルコンテンツ販売用財貨を提供し、
ユーザのデバイスを前記運営会社のサーバのウェブページへアクセスさせるＵＲＬを前記ユーザのデバイスに送信し、
前記提携会社のデバイスに提供された前記第１のデジタルコンテンツ販売用財貨を前記第１のデジタルコンテンツの数量に対応する分減少させ、
前記第１のデジタルコンテンツを前記ユーザのデバイスで提供するように構成され、
前記提携会社のデバイスは、前記第１のデジタルコンテンツの数量及び前記ユーザのデバイスの情報を前記運営会社のサーバに送信し、
前記ウェブページから読み出した情報に基づいて生成された第１のデジタルコンテンツの購入要請を前記運営会社のサーバに送信するように構成される、システム。
【請求項１５】
前記ＵＲＬは、前記運営会社のサーバのアドレス及び前記第１のデジタルコンテンツの注文コードに基づいて生成されるものである、請求項１４に記載のシステム。
【請求項１６】
前記ウェブページは、前記注文コードに該当するバーコードが表示されるように構成されたものである、請求項１５に記載のシステム。
【請求項１７】
前記提携会社のデバイスから受信した第１のデジタルコンテンツの購入要請は、前記ユーザのデバイスに表示されたバーコードの情報を含む、請求項１６に記載のシステム。
【発明の詳細な説明】
【技術分野】
【０００１】
本発明は、デジタルコンテンツを提供する方法、サーバ及びシステムに関する。
【背景技術】
【０００２】
様々な企業において、自社の製品とサービスの差別化を図り、消費者の購買意欲を刺激するために、クーポニング制度を利用している。クーポニング制度は、マーケティングの戦略手段として活用されており、企業の利潤追求と消費者の満足を極大化するための統合的なマーケティング手段となっている。
【０００３】
近年、情報通信技術の発展によるデジタル文化の大衆化により、インターネット及びモバイルを活用したクーポニング制度が導入された。クーポニング制度は、例えば、ユーザに発行されるモバイルクーポン、インターネットクーポン、及びモバイルカードなどを含む。
【０００４】
クーポン又はモバイルカードは、発行の主体により企業クーポン及び流通業社クーポンなどに分類される。
【０００５】
韓国公開特許公報第２００４−００５２１５４号には、アイテムカードＭ個のうち少なくともＮ個以上に視覚的な文字を表示するために、特定のアイテムを認識できるシリアルナンバーをアイテムの等級別にランダムに生成し、生成されたシリアルナンバーを発券ＤＢに格納し、インターネットを通じて入力されたアイテムカードに表示されたシリアルナンバーを発券ＤＢで確認して、ゲームＤＢに格納されたシリアルナンバーに該当するアイテムが特定のオンラインゲームと連動するように登録し、ゲームＤＢに設定された能力値に応じた属性を与える構成が開示されている。
【先行技術文献】
【特許文献】
【０００６】
【特許文献１】韓国公開特許公報第２００４−００５２１５４号
【発明の概要】
【発明が解決しようとする課題】
【０００７】
購入しようとするデジタルコンテンツの数量及びユーザのデバイスの情報を提携会社のデバイスから受信した場合、運営会社のサーバのウェブページへアクセスさせるＵＲＬをユーザのデバイスに送信することを目的とする。また、ユーザのデバイスに表示されたウェブページから読み出した情報に基づいて生成されたデジタルコンテンツの購入要請を提携会社のデバイスから受信した場合、ユーザのデバイスにデジタルコンテンツを提供することを目的とする。但し、本実施例が達成しようとする技術的課題は、上記したような技術的課題に限定されるものではなく、他の技術的課題が存在し得る。
【課題を解決するための手段】
【０００８】
上述した技術的課題を達成するための技術的手段として、本発明の第１の側面に係る運営会社のサーバで行われるデジタルコンテンツ提供方法は、提携会社のデバイスから第１のデジタルコンテンツ販売用財貨のチャージ要請を受信するステップと、前記提携会社のデバイスに前記第１のデジタルコンテンツ販売用財貨を提供するステップと、前記提携会社のデバイスから前記第１のデジタルコンテンツの数量及びユーザのデバイスの情報を受信するステップと、前記ユーザのデバイスを前記運営会社のサーバのウェブページへアクセスさせるＵＲＬを前記ユーザのデバイスに送信するステップと、前記提携会社のデバイスから、前記ウェブページから読み出した情報に基づいて生成された第１のデジタルコンテンツの購入要請を受信するステップと、前記提携会社のデバイスに提供された前記第１のデジタルコンテンツ販売用財貨を前記第１のデジタルコンテンツの数量に対応する分減少させるステップと、前記第１のデジタルコンテンツを前記ユーザのデバイスに提供するステップと、を含み得る。
【０００９】
また、本発明の第２の側面に係るデジタルコンテンツの運営会社のサーバは、提携会社のデバイスから第１のデジタルコンテンツの数量及びユーザのデバイスの情報を受信する受信部と、前記ユーザのデバイスをウェブページへアクセスさせるＵＲＬを前記ユーザのデバイスに送信するＵＲＬ送信部と、前記提携会社のデバイスから、前記ウェブページから読み出した情報に基づいて生成された前記第１のデジタルコンテンツの購入要請を受信する購入要請受信部と、前記提携会社のデバイスに提供された前記第１のデジタルコンテンツ販売用財貨を前記第１のデジタルコンテンツの数量に対応する分減少させる財貨管理部と、前記第１のデジタルコンテンツを前記ユーザのデバイスに提供するデジタルコンテンツ提供部と、を含み得る。
【００１０】
また、本発明の第３の側面に係るデジタルコンテンツ提供システムは、運営会社のサーバと、提携会社のデバイスとを含み、前記運営会社のサーバは、前記提携会社のデバイスに第１のデジタルコンテンツ販売用財貨を提供し、ユーザのデバイスを前記運営会社のサーバのウェブページへアクセスさせるＵＲＬを前記ユーザのデバイスに送信し、前記提携会社のデバイスに提供された前記第１のデジタルコンテンツ販売用財貨を前記第１のデジタルコンテンツの数量に対応する分減少させ、前記第１のデジタルコンテンツを前記ユーザのデバイスに提供するように構成され、前記提携会社のデバイスは、前記第１のデジタルコンテンツの数量及び前記ユーザのデバイスの情報を前記運営会社のサーバに送信し、前記ウェブページから読み出した情報に基づいて生成された第１のデジタルコンテンツの購入要請を前記運営会社のサーバに送信するように構成され得る。
【００１１】
上述した課題を解決するための手段は、単なる例示であり、本発明を制限する意図で解釈されてはならない。上述した例示的な実施例の他にも、図面及び発明の詳細な説明に記載された追加の実施例が存在し得る。
【発明の効果】
【００１２】
上述した本発明の課題を解決するための手段の何れか１つによれば、購入しようとするデジタルコンテンツの数量及びユーザのデバイスの情報を提携会社のデバイスから受信した場合、運営会社のサーバのウェブページへアクセスさせるＵＲＬをユーザのデバイスに送信することができる。また、ユーザのデバイスに表示されたウェブページから読み出した情報に基づいて生成されたデジタルコンテンツの購入要請を提携会社のデバイスから受信した場合、ユーザのデバイスにデジタルコンテンツを提供することができる。
【図面の簡単な説明】
【００１３】
【図１】本発明の一実施例に係るデジタルコンテンツ提供システムの構成図である。
【図２】本発明の一実施例に係るデジタルコンテンツ一括登録システムの構成図である。
【図３】本発明の一実施例に係る図１及び図２に示された運営会社のサーバのブロック図である。
【図４】本発明の他の実施例に係る図１及び図２に示された運営会社のサーバのブロック図である。
【図５】本発明のさらに他の実施例に係る図１及び図２に示された運営会社のサーバのブロック図である。
【図６ａ】本発明の一実施例に係る第１のデジタルコンテンツを提供する方法を説明するための図である。
【図６ｂ】本発明の一実施例に係る第１のデジタルコンテンツを提供する方法を説明するための図である。
【図６ｃ】本発明の一実施例に係る第１のデジタルコンテンツを提供する方法を説明するための図である。
【図６ｄ】本発明の一実施例に係る第１のデジタルコンテンツを提供する方法を説明するための図である。
【図７】本発明の一実施例に係るデジタルコンテンツ提供方法を示すフローチャートである。
【発明を実施するための形態】
【００１４】
以下では、添付した図面を参照しながら、本発明の属する技術分野において通常の知識を有する者が容易に実施できるように本発明の実施例を詳しく説明する。ところが、本発明は様々な異なる形態で具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００１５】
明細書全体において、ある部分が他の部分と「連結」されているという場合、これは「直接的に連結」されている場合だけでなく、その中間に他の素子を挟んで「電気的に連結」されている場合も含む。また、ある部分がある構成要素を「含む」という場合、これは、特に反対の記載がない限り、他の構成要素を除くのではなく、他の構成要素をさらに含み得ることを意味する。
【００１６】
本明細書において「部」とは、ハードウェアにより実現されるユニット（ｕｎｉｔ）と、ソフトウェアにより実現されるユニットと、両方を用いて実現されるユニットとを含む。また、１つのユニットが２つ以上のハードウェアを用いて実現されても良く、２つ以上のユニットが１つのハードウェアにより実現されても良い。
【００１７】
本明細書において、端末又はデバイスが行うと記述された動作や機能の一部は、当該端末又はデバイスと連結されたサーバで代わりに行われ得る。同様に、サーバが行うと記述された動作や機能の一部も当該サーバと連結された端末又はデバイスで行われ得る。
【００１８】
以下、添付された構成図又はフローチャートを参考しながら、本発明を実施するための具体的な内容を説明する。
【００１９】
図１は、本発明の一実施例に係るデジタルコンテンツ提供システムの構成図である。
【００２０】
図１を参照すると、デジタルコンテンツ提供システムは、運営会社のサーバ１００と、ユーザのデバイス１１０と、供給会社のサーバ１２０と、提携会社のデバイス１３０と、を含む。但し、かかる図１のデジタルコンテンツ提供システムは本発明の一実施例に過ぎないので、図１によって本発明が限定解釈されるものではなく、本発明の様々な実施例によって図１と異なるように構成されることもできる。
【００２１】
以下では、決済コードを用いてユーザのデバイス１１０に第１のデジタルコンテンツを提供する実施例を説明する。
【００２２】
運営会社のサーバ１００は、提携会社のデバイス１３０（例えば、ネットカフェに設置された運営者の端末）に第１のデジタルコンテンツ販売用財貨を提供し、ユーザのデバイス１１０（例えば、ネットカフェに訪問した顧客のスマートフォン）に第１のデジタルコンテンツを提供するサーバである。例えば、第１のデジタルコンテンツは、ユーザのデバイス１１０のユーザが購入しようとするモバイル商品券、コンテンツカード、及びモバイルクーポンなどを意味する。また、第１のデジタルコンテンツ販売用財貨は、例えば、第１のデジタルコンテンツを購入できるように提携会社のデバイス１３０にチャージされる前払コイン又は前払マイレージである。
【００２３】
運営会社のサーバ１００は、提携会社のデバイス１３０の第１のデジタルコンテンツ販売用財貨のチャージ要請に従い、提携会社のデバイス１３０に第１のデジタルコンテンツ販売用財貨を提供する。第１のデジタルコンテンツ販売用財貨は、第１の財貨及び第２の財貨を含み得る。
【００２４】
例えば、提携会社のデバイス１３０は、運営会社のサーバ１００と連係した口座にチャージしようとする第１のデジタルコンテンツ販売用財貨に該当する所定の金額を送金する。
【００２５】
運営会社のサーバ１００は、運営会社のサーバ１００と連係した口座に送金された所定の金額に該当する第１のデジタルコンテンツ販売用財貨を提携会社のデバイス１３０に提供する。ここで、運営会社のサーバ１００は、送金された所定の金額に該当する第１の財貨を提携会社のデバイス１３０に提供し、第１のデジタルコンテンツの販売促進及び奨励のために第２の財貨をさらに提供することもできる。
【００２６】
運営会社のサーバ１００は、ユーザのデバイス１１０から第１のデジタルコンテンツの購入金額を受信した場合、第１のデジタルコンテンツの決済コードを生成し、決済コードをユーザのデバイス１１０に送信する。運営会社のサーバ１００は、提携会社のデバイス１３０から決済コードを含む第１のデジタルコンテンツの購入要請を受信すると、提携会社のデバイス１３０に提供された第１のデジタルコンテンツ販売用財貨を第１のデジタルコンテンツの購入金額に対応する分減少させ、第１のデジタルコンテンツをユーザのデバイス１１０に提供する。
【００２７】
提携会社のデバイス１３０は、決済コードにて第１のデジタルコンテンツを照会し、販売する。
【００２８】
提携会社のデバイス１３０は、運営会社のサーバ１００に第１のデジタルコンテンツ販売用財貨のチャージを要請し、運営会社のサーバ１００から第１のデジタルコンテンツ販売用財貨を提供してもらう。
【００２９】
例えば、提携会社のデバイス１３０は、運営会社のサーバ１００に該当する口座に所定の金額を送金すると、送金した金額に該当する第１のデジタルコンテンツ販売用財貨を運営会社のサーバ１００から提供してもらう。
【００３０】
提携会社のデバイス１３０は、運営会社のサーバ１００からユーザのデバイス１１０に送信された決済コードをユーザのデバイス１１０から入力してもらい、当該決済コードを含む第１のデジタルコンテンツの購入を運営会社のサーバ１００に要請する。
【００３１】
ユーザのデバイス１１０は、デジタルコンテンツを購入するためのデジタルコンテンツストアアプリケーションをインストールする。
【００３２】
ユーザのデバイス１１０は、デジタルコンテンツストアアプリケーションを駆動し、デジタルコンテンツストアにアクセスして、少なくとも１つ以上の第１のデジタルコンテンツを購入する。
【００３３】
ユーザのデバイス１１０は、運営会社のサーバ１００から第１のデジタルコンテンツを受信し、第１のデジタルコンテンツを用いて供給会社のサーバ１２０に第２のデジタルコンテンツの提供を要請する。例えば、ユーザのデバイス１１０は、運営会社のサーバ１００及び供給会社のサーバ１２０を通じて複数の第１のデジタルコンテンツを一括登録することで、供給会社のサーバ１２０によって提供される第２のデジタルコンテンツを発給してもらう。
【００３４】
供給会社のサーバ１２０は、第１のデジタルコンテンツに対応する第２のデジタルコンテンツをユーザのデバイス１１０又はユーザの供給会社のサーバ１２０のアカウントに提供する。
【００３５】
供給会社のサーバ１２０は、ユーザのデバイス１１０に提供された第２のデジタルコンテンツに対する精算を運営会社のサーバ１００に要請する。例えば、供給会社のサーバ１２０は、当該第２のデジタルコンテンツ提供による金額を運営会社のサーバ１００から供給会社のサーバ１２０に該当する口座に送金してもらう。
【００３６】
以下では、ユーザのデバイス１１０の情報及びＵＲＬを通じてユーザのデバイス１１０に第１のデジタルコンテンツを提供する実施例を説明する。以下に説明する実施例においては、ユーザのデバイス１１０にデジタルコンテンツを購入するためのデジタルコンテンツストアアプリケーションがインストールされていない場合を仮定する。
【００３７】
提携会社のデバイス１３０は、ユーザが購入する第１のデジタルコンテンツの数量及びユーザのデバイス１１０の情報を運営会社のサーバ１００に送信する。例えば、ユーザのデバイス１１０の情報は、ユーザのデバイス１１０の携帯電話番号である。
【００３８】
運営会社のサーバ１００は、提携会社のデバイス１３０から第１のデジタルコンテンツの数量及びユーザのデバイス１１０の情報を受信した場合、ユーザのデバイス１１０のウェブブラウザを運営会社のサーバ１００のウェブページへアクセスさせるＵＲＬをユーザのデバイス１１０に送信する。例えば、ＵＲＬは、運営会社のサーバ１００のアドレス及び第１のデジタルコンテンツの注文コードに基づいて生成されたものであり、ウェブページは、第１のデジタルコンテンツの注文コードに該当するバーコードが表示されるように構成されたページである。
【００３９】
提携会社のデバイス１３０は、ユーザのデバイス１１０が接続したウェブページから読み出した情報（第１のデジタルコンテンツの注文コードに該当するバーコード情報）に基づいて生成された第１のデジタルコンテンツの購入要請を運営会社のサーバ１００に送信する。例えば、提携会社のデバイス１３０は、ユーザのデバイス１１０がアクセスしたウェブページに出力されたバーコードをバーコードリーダで読み込み、当該第１のデジタルコンテンツの購入要請を運営会社のサーバ１００に送信する。
【００４０】
運営会社のサーバ１００は、提携会社のデバイス１３０に提供された第１のデジタルコンテンツ販売用財貨を第１のデジタルコンテンツの数量に対応する分減少させ、第１のデジタルコンテンツをユーザのデバイス１１０に提供する。
【００４１】
一般的に、図１のデジタルコンテンツ提供システムの各構成要素は、ネットワークを介して連結される。ネットワークは、端末及びサーバのようなそれぞれのノードの相互間に情報交換が可能な連結構造を意味するものであり、かかるネットワークの一例には、Ｗｉ−Ｆｉ、ブルートゥース（Ｂｌｕｅｔｏｏｔｈ）（登録商標）、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、３Ｇ、４Ｇ、５Ｇ、ＬＴＥ（登録商標）などが含まれるが、これに限定されるものではない。
【００４２】
以下では、図１におけるデジタルコンテンツ提供システムの各構成要素の動作についてより具体的に説明する。
【００４３】
図２は、本発明の一実施例に係るデジタルコンテンツ一括登録システムの構成図である。
【００４４】
図２を参照すると、デジタルコンテンツ一括登録システムは、運営会社のサーバ１００と、ユーザのデバイス１１０と、供給会社のサーバ１２０と、を含む。但し、かかる図２のデジタルコンテンツ一括登録システムは本発明の一実施例に過ぎないので、図２によって本発明が限定解釈されるものではなく、本発明の様々な実施例によって図２と異なるように構成されることもできる。
【００４５】
運営会社のサーバ１００は、第１のデジタルコンテンツの一括登録要請をユーザのデバイス１１０から受信した場合、複数の第１のデジタルコンテンツ各々に対応する複数のピンコードをユーザのデバイス１１０に送信し、ユーザのデバイス１１０が選択した少なくとも１つ以上のピンコードを一括登録する供給会社のサーバ１２０の一括登録ページへアクセスさせるＵＲＬをユーザのデバイス１１０に提供する。ここで、ＵＲＬは、選択された少なくとも１つのピンコードに関する情報を含み得る。
【００４６】
ユーザのデバイス１１０は、複数の第１のデジタルコンテンツの一括登録要請を運営会社のサーバ１００に送信し、複数のピンコードのうち少なくとも１つのピンコードを選択する信号を運営会社のサーバ１００に送信する。
【００４７】
ユーザのデバイス１１０は、無線通信可能なモバイル端末を含み、本発明の様々な実施例によると、ユーザのデバイス１１０は、様々な形態のデバイスであり得る。例えば、ユーザのデバイス１１０は、ネットワークを介して遠隔地のサーバに接続可能な携帯用端末である。ここで、携帯用端末の一例には、携帯性と移動性が保障される無線通信装置として、ＰＣＳ（Ｐｅｒｓｏｎａｌ  Ｃｏｍｍｕｎｉｃａｔｉｏｎ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）、タブレットＰＣなどのような全ての種類のハンドヘルド（Ｈａｎｄｈｅｌｄ）ベースの無線通信装置が含まれる。但し、ユーザのデバイス１１０は、図１に示された形態又は上記に例示されたものに限定解釈されるものではない。
【００４８】
供給会社のサーバ１２０は、供給会社のサーバ１２０の一括登録ページにアクセスしたユーザのデバイス１１０からユーザ情報を受信し、ユーザ情報に基づいてユーザのデバイス１１０を認証する。
【００４９】
供給会社のサーバ１２０は、ユーザのデバイス１１０のユーザ情報及びＵＲＬに含まれた少なくとも１つのピンコードに関する情報に基づき、複数のピンコードを一括登録する。
【００５０】
供給会社のサーバ１２０は、ユーザのデバイス１１０で選択された複数のピンコードを一括登録した後、一括登録の結果を運営会社のサーバ１００にリターンしない。
【００５１】
一般的に、図２のデジタルコンテンツ一括登録システムの各構成要素は、ネットワークを介して連結される。ネットワークは、端末及びサーバのようなそれぞれのノードの相互間に情報交換が可能な連結構造を意味するものであり、かかるネットワークの一例には、Ｗｉ−Ｆｉ、ブルートゥース（Ｂｌｕｅｔｏｏｔｈ）、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、３Ｇ、４Ｇ、５Ｇ、ＬＴＥなどが含まれるが、これに限定されるものではない。
【００５２】
以下では、図１及び図２におけるデジタルコンテンツ提供システム及びデジタルコンテンツ一括登録システムの各構成要素の動作についてより具体的に説明する。
【００５３】
図３は、本発明の一実施例に係る図１及び図２に示された運営会社のサーバ１００のブロック図である。
【００５４】
以下では、図３を参照しながら、決済コードを用いてユーザのデバイス１１０に第１のデジタルコンテンツを提供する実施例を説明する。
【００５５】
図３を参照すると、運営会社のサーバ１００は、取引要請受信部３００と、デジタルコンテンツ取引部３１０と、財貨管理部３２０と、デジタルコンテンツ提供部３３０と、精算部３４０と、ＤＢ３５０と、を含む。但し、図３に示された運営会社のサーバ１００は本発明の一具現例に過ぎず、図３に示された構成要素を基に様々な変形が可能である。
【００５６】
取引要請受信部３００は、ユーザのデバイス１１０から第１のデジタルコンテンツの購入金額を受信する。ここで、第１のデジタルコンテンツは、例えば、モバイル商品券、コンテンツカード、及びモバイルクーポンを含む。
【００５７】
例えば、取引要請受信部３００は、ユーザのデバイス１１０がデジタルコンテンツ販売ストアで少なくとも１つ以上の第１のデジタルコンテンツを選択して決済した場合、選択された第１のデジタルコンテンツに対する購入総額をユーザのデバイス１１０から受信する。
【００５８】
取引要請受信部３００は、ユーザのデバイス１１０から第１のデジタルコンテンツの払戻金額を受信する。
【００５９】
例えば、ユーザのデバイス１１０は、デジタルコンテンツ販売ストアで払い戻す対象である第１のデジタルコンテンツ（開封されていない第１のデジタルコンテンツに限る）の情報と共に第１のデジタルコンテンツの払戻金額を運営会社のサーバ１００に送信する。
【００６０】
デジタルコンテンツ取引部３１０は、ユーザのデバイス１１０から第１のデジタルコンテンツに対する購入金額を受信した場合、ユーザのデバイス１１０に第１のデジタルコンテンツの決済コードを送信する。ここで、決済コードは、ユーザのデバイス１１０が第１のデジタルコンテンツを購入するために提携会社のデバイス１３０に提示するコードであり、バーコード又は文字コードを含み得る。
【００６１】
例えば、ユーザのデバイス１１０は、デジタルコンテンツ販売ストア（オンラインストア）で購入したい第１のデジタルコンテンツを選択し、選択された第１のデジタルコンテンツを購入するために購入方式を選択する。ここで、購入方式は、例えば、決済コードとして文字コード又はバーコードを含む。
【００６２】
デジタルコンテンツ取引部３１０は、ユーザのデバイス１１０から第１のデジタルコンテンツに対する購入金額と共にバーコードの送信要請を受信した場合、第１のデジタルコンテンツに対応するバーコードを生成し、生成されたバーコードをユーザのデバイス１１０に送信する。
【００６３】
例えば、ユーザのデバイス１１０は、第１のデジタルコンテンツの決済コードとしてバーコードを選択した場合、第１のデジタルコンテンツに対応するバーコード、及びバーコードに対する決済有効時間情報を運営会社のサーバ１００から受信する。このとき、第１のデジタルコンテンツに対応するバーコードは、予め設定された決済有効時間内にのみ使用可能であり、決済有効時間を過ぎた場合は再発給が要求される。
【００６４】
デジタルコンテンツ取引部３１０は、ユーザのデバイス１１０から第１のデジタルコンテンツに対する購入金額と共に文字コードの送信要請を受信した場合、第１のデジタルコンテンツに対応する文字コードを生成し、生成された文字コードをユーザのデバイス１１０に送信する。ここで、文字コードは、数字コード又は文字と数字との組み合わせを全て含む意味である。
【００６５】
例えば、ユーザのデバイス１１０は、第１のデジタルコンテンツの決済コードとして文字コードを選択した場合、第１のデジタルコンテンツに対応する文字コード、及び文字コードに対する決済有効時間情報を運営会社のサーバ１００から受信する。
【００６６】
デジタルコンテンツ取引部３１０は、提携会社のデバイス１３０から決済コードを含む第１のデジタルコンテンツの購入要請を受信する。
【００６７】
デジタルコンテンツ取引部３１０は、提携会社のデバイス１３０からユーザのデバイス１１０に送信されたバーコードの情報を含む第１のデジタルコンテンツの購入要請を受信する。
【００６８】
例えば、提携会社のデバイス１３０は、運営会社のサーバ１００で提供するコンテンツ販売サイトを通じて実物型コンテンツ及び第１のデジタルコンテンツを照会し、販売する。ここで、コンテンツ販売サイトは、第１のデジタルコンテンツ販売用財貨の現況情報、実物型コンテンツの販売、払い戻し、照会の際に使用するメニュー、第１のデジタルコンテンツの販売、払い戻しの際に使用するメニューなどを含み得る。ここで、第１のデジタルコンテンツ販売用財貨の現況情報は、第１のデジタルコンテンツの購入が完了した場合、第１のデジタルコンテンツの購入金額に対応する分減少した財貨情報をリアルタイムで反映する。
【００６９】
例えば、提携会社のデバイス１３０は、第１のデジタルコンテンツをバーコード決済方式で決済する場合、運営会社のサーバ１００からユーザのデバイス１１０に送信された第１のデジタルコンテンツのバーコードをスキャンして、運営会社のサーバ１００に第１のデジタルコンテンツの購入を要請する。
【００７０】
デジタルコンテンツ取引部３１０は、運営会社のサーバ１００からユーザのデバイス１１０に送信された文字コードを含む第１のデジタルコンテンツの購入要請を提携会社のデバイス１３０から受信する。
【００７１】
例えば、提携会社のデバイス１３０は、第１のデジタルコンテンツを文字コード決済方式で決済する場合、運営会社のサーバ１００からユーザのデバイス１１０に送信された文字コードを入力して、運営会社のサーバ１００に第１のデジタルコンテンツの購入を要請する。
【００７２】
デジタルコンテンツ取引部３１０は、提携会社のデバイス１３０からユーザのデバイス１１０に送信された文字コードを受信した場合、当該文字コードに対応するセキュリティコードを生成して、ユーザのデバイス１１０に追加送信する。
【００７３】
デジタルコンテンツ取引部３１０は、提携会社のデバイス１３０からユーザのデバイス１１０に送信されたセキュリティコードを受信する。
【００７４】
例えば、予め設定された決済有効時間内に提携会社のデバイス１３０が第１のデジタルコンテンツに対応する文字コードをユーザのデバイス１１０から受け取り、運営会社のサーバ１００に文字コードを送信する場合、ユーザのデバイス１１０は、運営会社のサーバ１００から文字コードに対応するセキュリティコードを追加受信する。ユーザのデバイス１１０は、セキュリティコードを提携会社のデバイス１３０に送信する。
【００７５】
ユーザのデバイス１１０がセキュリティコードを追加受信し、提携会社のデバイス１３０に、第１のデジタルコンテンツを販売するために運営会社のサーバ１００へセキュリティコードを追加送信させることで、提携会社のデバイス１３０により文字コードが誤って入力されたり、不正入力されたりして他のユーザのデバイス（未図示）に第１のデジタルコンテンツが流出することを防止することができる。
【００７６】
デジタルコンテンツ取引部３１０は、ユーザのデバイス１１０から第１のデジタルコンテンツの払戻金額を受信した場合、ユーザのデバイス１１０に第１のデジタルコンテンツの払戻コードを送信する。
【００７７】
例えば、ユーザのデバイス１１０は、運営会社のサーバ１００から受信した第１のデジタルコンテンツの払い戻し方式を選択する。ここで、払い戻し方式は、払戻文字コード及び払戻バーコードを含み得る。
【００７８】
デジタルコンテンツ取引部３１０は、提携会社のデバイス１３０からユーザのデバイス１１０に送信された払戻コードを含む第１のデジタルコンテンツの払い戻し要請を受信する。
【００７９】
例えば、ユーザのデバイス１１０は、第１のデジタルコンテンツの払戻コードとして払戻バーコードを選択した場合、第１のデジタルコンテンツに対応する払戻バーコード、及び払戻バーコードに対する払戻有効時間情報を運営会社のサーバ１００から受信する。このとき、ユーザのデバイス１１０は、第１のデジタルコンテンツに対応する払戻バーコードを予め設定された払戻有効時間内に提携会社のデバイス１３０に伝えれば、払い戻しを受けることができる。
【００８０】
他の例として、ユーザのデバイス１１０は、第１のデジタルコンテンツの払戻コードとして払戻文字コードを選択した場合、第１のデジタルコンテンツに対応する払戻文字コード、及び払戻文字コードに対する払戻有効時間情報を運営会社のサーバ１００から受信する。
【００８１】
また、予め設定された決済有効時間内に提携会社のデバイス１３０が第１のデジタルコンテンツに対応する払戻文字コードをユーザのデバイス１１０から受け取り、運営会社のサーバ１００に文字コードを送信する場合、ユーザのデバイス１１０は、運営会社のサーバ１００から払戻文字コードに対応するセキュリティコードを追加受信する。ユーザのデバイス１１０は、受信したセキュリティコードを提携会社のデバイス１３０に送信する。
【００８２】
その後、提携会社のデバイス１３０から送信したセキュリティコードとユーザのデバイス１１０に送信されたセキュリティコードとが一致すれば、第１のデジタルコンテンツに対する払い戻し処理が完了する。
【００８３】
提携会社のデバイス１３０に、第１のデジタルコンテンツを払い戻すために運営会社のサーバ１００へユーザのデバイス１１０に送信されたセキュリティコードを追加送信させることで、提携会社のデバイス１３０により払戻文字コードが誤って入力されたり、不正入力されたりして他のユーザのデバイス（未図示）の第１のデジタルコンテンツが払い戻しされてしまうことを防止することができる。
【００８４】
財貨管理部３２０は、提携会社のデバイス１３０から第１のデジタルコンテンツ販売用財貨のチャージ要請を受信し、提携会社のデバイス１３０に第１のデジタルコンテンツ販売用財貨を提供する。ここで、第１のデジタルコンテンツ販売用財貨は、提携会社のデバイス１３０で第１のデジタルコンテンツを販売する際に使用されるポイントであり、第１の財貨及び第２の財貨を含み得る。
【００８５】
例えば、財貨管理部３２０は、提携会社のデバイス１３０から運営会社のサーバ１００に該当する口座に所定の金額が送金された場合、送金された金額だけの第１の財貨を提携会社のデバイス１３０に提供する。ここで、第１の財貨は、例えば、１ウォン当たり１コインだけチャージするコインを意味する。また、第１の財貨は、提携会社のデバイス１３０の要請により返金できる現金性コインであり得る。
【００８６】
また、財貨管理部３２０は、第１のデジタルコンテンツの販売促進及び奨励のために、第１のデジタルコンテンツ販売用財貨のチャージ要請時点に、提携会社のデバイス１３０に予め設定された所定の金額だけ無料で第２の財貨を提携会社のデバイス１３０に提供する。ここで、第２の財貨は、現金に返金できない非現金性コインであり得る。
【００８７】
財貨管理部３２０は、提携会社のデバイス１３０から第１のデジタルコンテンツの購入要請を受信した場合、提携会社のデバイス１３０に提供された第１のデジタルコンテンツ販売用財貨を第１のデジタルコンテンツの購入金額に対応する分減少させる。
【００８８】
具体的に、財貨管理部３２０は、購入要請された第１のデジタルコンテンツの販売価格の一部金額に対して第２の財貨を先に減少させ、第２の財貨が全て消費された後、残りの販売金額の差額だけ第１の財貨を減少させる。
【００８９】
財貨管理部３２０は、第１のデジタルコンテンツの販売価格に対応する分第１のデジタルコンテンツ販売用財貨（第１の財貨及び第２の財貨）を減少させる一方、減少した第１の財貨に対して予め設定された割合だけ第２の財貨を増加させることもできる。
【００９０】
財貨管理部３２０は、提携会社のデバイス１３０から第１のデジタルコンテンツに対する払い戻し要請を受信した場合、提携会社のデバイス１３０に提供された第１のデジタルコンテンツ販売用財貨を第１のデジタルコンテンツの払戻金額に対応する分増加させる。
【００９１】
デジタルコンテンツ提供部３３０は、第１のデジタルコンテンツをユーザのデバイス１１０に提供する。このとき、ユーザのデバイス１１０は、第１のデジタルコンテンツを通じて、供給会社のサーバ１２０により提供される第２のデジタルコンテンツを購入又は交換することができる。例えば、ユーザのデバイス１１０は、運営会社のサーバ１００及び供給会社のサーバ１２０を通じて第１のデジタルコンテンツを一括登録することで、供給会社のサーバ１２０によって提供される第２のデジタルコンテンツを発給してもらう。
【００９２】
デジタルコンテンツ提供部３３０は、第１のデジタルコンテンツに対する払い戻し処理が完了した場合、第１のデジタルコンテンツをユーザのデバイス１１０から回収する。
【００９３】
精算部３４０は、第１のデジタルコンテンツを通じてユーザのデバイス１１０に第２のデジタルコンテンツが発給された場合、供給会社のサーバ１２０と第２のデジタルコンテンツに対する精算を実施する。例えば、精算部２４０は、ユーザのデバイス１１０において第１のデジタルコンテンツにより第２のデジタルコンテンツが購入された場合毎に精算を実施しても良く、予め設定された週期毎に精算を実施しても良い。
【００９４】
精算部３４０は、ユーザのデバイス１１０に提供された第２のデジタルコンテンツに該当する金額を供給会社のサーバ１２０に該当する口座に送金する。
【００９５】
ＤＢ３５０は、運営会社のサーバ１００の内部の各構成要素の間で入力及び出力されるデータを格納し、運営会社のサーバ１００と運営会社のサーバ１００の外部の構成要素の間で入力及び出力されるデータを格納する。かかるＤＢ３５０の一例には、運営会社のサーバ１００の内部又は外部に存在するハードディスクドライブ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、及びメモリカードなどが含まれる。
【００９６】
一方、当業者であれば、取引要請受信部３００と、デジタルコンテンツ取引部３１０と、財貨管理部３２０と、デジタルコンテンツ提供部３３０と、精算部３４０と、ＤＢ３５０とのそれぞれが分離して具現されたり、これらの１つ以上が統合されて具現され得ることが十分に理解できるはずである。
【００９７】
図４は、本発明の他の実施例に係る図１及び図２に示された運営会社のサーバ１００のブロック図である。
【００９８】
図４を参照すると、運営会社のサーバ１００は、受信部４００と、ＵＲＬ送信部４１０と、購入要請受信部４２０と、財貨管理部４３０と、デジタルコンテンツ提供部４４０と、を含む。但し、図４に示された運営会社のサーバ１００は本発明の一具現例に過ぎず、図４に示された構成要素を基に様々な変形が可能である。例えば、図４のＵＲＬ送信部４１０及び購入要請受信部４２０は、図３のデジタルコンテンツ取引部３１０に含まれることができる。また、図４の受信部４００は、図３の取引要請受信部３００に含まれることができる。
【００９９】
以下では、図４を参照しながら、ユーザのデバイス１１０の情報及びＵＲＬを通じてユーザのデバイス１１０に第１のデジタルコンテンツを提供する実施例を説明する。
【０１００】
受信部４００は、提携会社のデバイス１３０から第１のデジタルコンテンツの数量及びユーザのデバイス１１０の情報を受信する。ここで、第１のデジタルコンテンツは、例えば、モバイル商品券、コンテンツカード、及びモバイルクーポンを含む。ユーザのデバイス１１０の情報は、例えば、ユーザのデバイス１１０の携帯電話番号などを含む。
【０１０１】
例えば、ユーザのデバイス１１０がデジタルコンテンツ販売ストア（オンラインストア）に加入されていない非会員である場合、受信部４００は、ユーザのデバイス１１０が購入しようとする第１のデジタルコンテンツの種類、数量、及びユーザのデバイス１１０の情報を提携会社のデバイス１３０を通じて受信する。
【０１０２】
ＵＲＬ送信部４１０は、提携会社のデバイス１３０から第１のデジタルコンテンツの数量及びユーザのデバイス１１０の情報を受信すると、ユーザのデバイス１１０を供給会社のサーバ１２０のウェブページへアクセスさせるＵＲＬを生成し、ユーザのデバイス１１０に送信する。ここで、ウェブページは、第１のデジタルコンテンツの注文コードに該当するバーコードが表示されるように構成されたページであり、ＵＲＬは、運営会社のサーバ１００のアドレス及び第１のデジタルコンテンツの注文コードに基づいて生成されたアドレスであり得る。
【０１０３】
購入要請受信部４２０は、提携会社のデバイス１３０がウェブページから読み出した情報に基づいて生成された第１のデジタルコンテンツの購入要請を提携会社のデバイス１３０から受信する。ここで、ウェブページから読み出した情報は、ユーザのデバイス１１０がアクセスしたウェブページに出力されたバーコードの情報を提携会社のデバイス１３０がスキャンした情報であり、第１のデジタルコンテンツの購入要請は、当該バーコードの情報を含み得る。
【０１０４】
財貨管理部４３０は、提携会社のデバイス１３０から第１のデジタルコンテンツの数量分の第１のデジタルコンテンツ販売用財貨のチャージ要請を受信し、提携会社のデバイス１３０に第１のデジタルコンテンツ販売用財貨を提供する。ここで、第１のデジタルコンテンツ販売用財貨は、提携会社のデバイス１３０で第１のデジタルコンテンツを販売する際に使用されるコイン又はポイントであり、第１の財貨及び第２の財貨を含み得る。
【０１０５】
例えば、財貨管理部４３０は、提携会社のデバイス１３０から運営会社のサーバ１００に該当する口座に所定の金額が送金された場合、送金された金額だけの第１の財貨を提携会社のデバイス１３０に提供する。ここで、第１の財貨は、返金できる現金性コインであり得る。
【０１０６】
例えば、財貨管理部４３０は、第１のデジタルコンテンツの販売促進及び奨励のために、第１のデジタルコンテンツ販売用財貨のチャージ要請時点に、予め設定された所定金額の第２の財貨を提携会社のデバイス１３０に無料で提供する。ここで、第２の財貨は、現金に返金できない非現金性コインであり得る。
【０１０７】
財貨管理部４３０は、提携会社のデバイス１３０に提供された第１のデジタルコンテンツ販売用財貨を第１のデジタルコンテンツの数量に対応する分減少させる。例えば、財貨管理部４３０は、選択された第１のデジタルコンテンツの価格及び数量に該当する金額だけ販売用財貨を減少させる。
【０１０８】
財貨管理部４３０は、第１のデジタルコンテンツの数量に対応する販売金額の一部金額に対して第２の財貨を先に減少させ、第２の財貨が全て消費された後、残りの販売金額の差額だけ第１の財貨を減少させる。
【０１０９】
財貨管理部３２０は、第１のデジタルコンテンツの販売価格に対応する分第１のデジタルコンテンツ販売用財貨（第１の財貨及び第２の財貨）を減少させる一方、減少した第１の財貨に対して予め設定された割合だけ第２の財貨を増加させることもできる。
【０１１０】
デジタルコンテンツ提供部４４０は、第１のデジタルコンテンツをユーザのデバイス１１０に提供する。ここで、第１のデジタルコンテンツは、供給会社のサーバ１２０により提供される第２のデジタルコンテンツに購入又は交換されることができる。
【０１１１】
ここで、図６ａ乃至図６ｄを参照しながら、提携会社のデバイス１３０においてユーザのデバイス１１０の情報及びＵＲＬを通じてユーザのデバイス１１０に第１のデジタルコンテンツを販売する方法を説明する。例えば、ユーザのデバイス１１０は、運営会社のサーバ１００の非会員である。
【０１１２】
図６ａ乃至図６ｄは、本発明の一実施例に係る第１のデジタルコンテンツを提供する方法を説明するための図である。
【０１１３】
図６ａを参照すると、提携会社のデバイス１３０は、運営会社のサーバ１００の非会員を対象として第１のデジタルコンテンツを販売するために、運営会社のサーバ１００から提供するコンテンツ販売サイト６００を表示する。
【０１１４】
第１のデジタルコンテンツの販売に先立ち、提携会社のデバイス１３０は、予め運営会社のサーバ１００に第１のデジタルコンテンツ販売用財貨６０１のチャージを要請し、運営会社のサーバ１００から第１のデジタルコンテンツ販売用財貨６０１を提供してもらう。
【０１１５】
提携会社のデバイス１３０は、ユーザのデバイス１１０が購入する第１のデジタルコンテンツ６０２の数量６０３及びユーザのデバイス１１０の情報６０４（例えば、携帯電話番号など）をコンテンツ販売サイト６００に入力し、運営会社のサーバ１００に送信する。
【０１１６】
その後、ユーザのデバイス１１０は、運営会社のサーバ１００のウェブページへアクセスさせるＵＲＬを含むテキストメッセージ６０５を受信する。ここで、テキストメッセージ６０５は、運営会社のサーバ１００が直接発送しても良く、それとは異なり、運営会社のサーバ１００が通信会社の交換器又は通信会社のサーバを経由して発送しても良い。
【０１１７】
ここで、ウェブページには、第１のデジタルコンテンツ６０２の注文コードに該当するバーコードが表示されている。
【０１１８】
図６ｂを参照すると、提携会社のデバイス１３０は、ユーザのデバイス１１０がアクセスしたウェブページに表示されたバーコード情報６０６をスキャンして、運営会社のサーバ１００に第１のデジタルコンテンツ６０２の購入要請を送信する。
【０１１９】
図６ｃを参照すると、提携会社のデバイス１３０は、販売情報及び当該決済金額情報６０７を確認した後、運営会社のサーバ１００に販売承認を要請６０８する。運営会社のサーバ１００は、提携会社のデバイス１３０が保有した第１のデジタルコンテンツ販売用財貨６０１を決済金額分減少させる。
【０１２０】
図６ｄを参照すると、提携会社のデバイス１３０が運営会社のサーバ１００に第１のデジタルコンテンツ６０２の数量及びユーザのデバイス１１０の情報を送信すると、ユーザのデバイス１１０は、運営会社のサーバ１００のアドレス及び第１のデジタルコンテンツ６０２の注文コードにより構成されたＵＲＬを含むテキストメッセージ６０９を受信する。
【０１２１】
また、ユーザのデバイス１１０が提携会社のデバイス１３０を通じて運営会社のサーバ１００にテキストメッセージ６０９の再発送を要請した場合、ユーザのデバイス１１０は、運営会社のサーバ１００のアドレス及び第１のデジタルコンテンツ６０２の注文コードにより構成されたＵＲＬを含むテキストメッセージ６１０を再受信する。
【０１２２】
また、ユーザのデバイス１１０が提携会社のデバイス１３０を通じて運営会社のサーバ１００に第１のデジタルコンテンツ６０２の注文キャンセルを要請した場合、ユーザのデバイス１１０は、運営会社のサーバ１００から第１のデジタルコンテンツ６０２の注文キャンセル完了メッセージ６１１を受信する。
【０１２３】
一方、当業者であれば、受信部４００と、ＵＲＬ送信部４１０と、購入要請受信部４２０と、財貨管理部４３０と、デジタルコンテンツ提供部４４０とのそれぞれが分離して具現されたり、これらの１つ以上が統合されて具現され得ることが十分に理解できるはずである。
【０１２４】
図５は、本発明の他の実施例に係る図１及び図２に示された運営会社のサーバ１００のブロック図である。
【０１２５】
図５を参照すると、運営会社のサーバ１００は、一括登録要請受信部５００と、ピンコード送信部５０１と、ピンコード受信部５０２と、ＵＲＬ送信部５０３と、プレゼント要請受信部５０４と、プレゼントコード生成部５０５と、プレゼントコード送信部５０６と、セキュリティコード生成部５０７と、セキュリティコード送信部５０８と、セキュリティコード受信部５０９と、プレゼント提供部５１０と、を含む。但し、図５に示された運営会社のサーバ１００は本発明の一具現例に過ぎず、図５に示された構成要素を基に様々な変形が可能である。
【０１２６】
一括登録要請受信部５００は、ユーザのデバイス１１０から複数の第１のデジタルコンテンツの一括登録要請を受信する。ここで、第１のデジタルコンテンツは、例えば、モバイル商品券、コンテンツカード、及びモバイルクーポンを含む。
【０１２７】
例えば、一括登録要請受信部５００は、ユーザのデバイス１１０がデジタルコンテンツ販売ストアで少なくとも１つ以上の第１のデジタルコンテンツを購入して少なくとも１つ以上の第１のデジタルコンテンツを保有している場合、ユーザのデバイス１１０から少なくとも１つ以上の第１のデジタルコンテンツに対する一括登録要請を受信する。
【０１２８】
ピンコード送信部５０１は、複数の第１のデジタルコンテンツの一括登録要請を受信した場合、複数の第１のデジタルコンテンツ各々に対応する複数のピンコードをユーザのデバイス１１０に送信する。ここで、ピンコードは、供給会社のサーバ１２０によって提供される第２のデジタルコンテンツを発給してもらうことのできるコードであり得る。
【０１２９】
ピンコード送信部５０１は、ユーザのデバイス１１０から少なくとも１つのＱＲコード（登録商標）を受信する。ここで、ＱＲコードは、運営会社のサーバのＵＲＬ（Ｕｎｉｆｏｒｍ  Ｒｅｓｏｕｒｃｅ  Ｌｏｃａｔｏｒ）、複数の第１のデジタルコンテンツ各々の識別コード、及び複数の第１のデジタルコンテンツ各々に対応するピンコードが暗号化されたコードを含み得る。
【０１３０】
例えば、ＱＲコードを解読して、ｈｔｔｐ：／／ｗｗｗ．ｆｕｎｐｌｅ．ｃｏｍ／ｑｒ／ＨＨＨＨ０Ｆ＿ＢＦＥＷＵＯＫＶ５Ｊという文字列を抽出したと仮定すると、ｈｔｔｐ：／／ｗｗｗ．ｆｕｎｐｌｅ．ｃｏｍ／ｑｒは、運営会社のサーバのＵＲＬアドレスであり、ＨＨＨＨ０Ｆは、第１のデジタルコンテンツの識別コードであり、ＢＦＥＷＵＯＫＶ５Ｊは、第１のデジタルコンテンツに対応するピンコードが暗号化されたコードである。運営会社のサーバ１００は、ピンコード、これに対する暗号及び暗号解読情報を予め格納していても良い。
【０１３１】
例えば、ピンコード送信部５０１は、ユーザのデバイス１１０が提携会社のデバイス１３０を通じて購入した少なくとも１つの実物型コンテンツに含まれたＱＲコードをスキャンした場合、ユーザのデバイス１１０から少なくとも１つの実物型コンテンツに該当する少なくとも１つのＱＲコードを受信する。
【０１３２】
ピンコード送信部５０１は、予め設定された規則に基づき、受信されたＱＲコードに含まれた暗号化されたコードを解読し、解読されたピンコードをユーザのデバイス１１０に送信する。
【０１３３】
例えば、ｈｔｔｐ：／／ｗｗｗ．ｆｕｎｐｌｅ．ｃｏｍ／ｑｒ／ＨＨＨＨ０Ｆ＿ＢＦＥＷＵＯＫＶ５Ｊの文字列がエンコードされたＱＲコードをユーザのデバイス１１０から受信すると、運営会社のサーバ１００は、予め設定された情報に基づいて暗号化されたコード（ＢＦＥＷＵＯＫＶ５Ｊ）を解読し、解読されたピンコード（ＡＢＤＧＥＴＧＤＸＢＸ）をユーザのデバイス１１０に送信する。
【０１３４】
ピンコード受信部５０２は、ユーザのデバイス１１０から複数のピンコードのうち少なくとも１つのピンコードを選択する信号を受信する。
【０１３５】
例えば、ピンコード受信部５０２は、デジタルコンテンツ販売ストアで購入した複数の第１のデジタルコンテンツ各々に対応する複数のピンコード又は、提携会社のデバイス１３０で購入した実物型コンテンツに含まれたＱＲコード各々に対応する複数のピンコードのうち、ユーザのデバイス１１０によって選択されたピンコードをユーザのデバイス１１０から受信する。
【０１３６】
ＵＲＬ送信部５０３は、ユーザのデバイス１１０を供給会社のサーバ１２０の一括登録ページへアクセスさせるＵＲＬを生成し、それをユーザのデバイス１１０に提供する。ここで、ＵＲＬは、選択された少なくとも１つのピンコードに基づいて生成されたものであり得る。例えば、ＵＲＬは、選択された少なくとも１つのピンコードに関する情報を含む。
【０１３７】
プレゼント要請受信部５０４は、ユーザのデバイス１１０から複数の第１のデジタルコンテンツのプレゼント要請を受信する。
【０１３８】
プレゼントコード生成部５０５は、複数の第１のデジタルコンテンツのプレゼント要請を受信した場合、複数の第１のデジタルコンテンツに対応するプレゼントコードを生成する。
【０１３９】
プレゼントコード送信部５０６は、複数の第１のデジタルコンテンツのプレゼント要請を送信したユーザのデバイス１１０にプレゼントコードを送信する。
【０１４０】
セキュリティコード生成部５０７は、他のユーザのデバイス（未図示）から受信したプレゼントコード（ユーザのデバイス１１０に送信したプレゼントコード）に対する有効性をチェックした後、当該プレゼントコードと一致するコードがある場合、当該プレゼントコードに対応するセキュリティコードを生成する。
【０１４１】
セキュリティコード送信部５０８は、生成されたセキュリティコードを他のユーザのデバイス（未図示）に送信する。
【０１４２】
セキュリティコード受信部５０９は、他のユーザのデバイス（未図示）に送信されたセキュリティコードをユーザのデバイス１１０から受信する。
【０１４３】
プレゼント提供部５１０は、ユーザのデバイス１１０から受信されたセキュリティコードの有効性をチェックした後、当該セキュリティコードが有効な場合、複数の第１のデジタルコンテンツをユーザのデバイス１１０から回収して、他のユーザのデバイス（未図示）に送信する。
【０１４４】
一方、当業者であれば、一括登録要請受信部５００と、ピンコード送信部５０１と、ピンコード受信部５０２と、ＵＲＬ送信部５０３と、プレゼント要請受信部５０４と、プレゼントコード生成部５０５と、プレゼントコード送信部５０６と、セキュリティコード生成部５０７と、セキュリティコード送信部５０８と、セキュリティコード受信部５０９と、プレゼント提供部５１０とのそれぞれが分離して具現されたり、これらの１つ以上が統合されて具現され得ることが十分に理解できるはずである。
【０１４５】
図７は、本発明の一実施例に係るデジタルコンテンツ提供方法を示すフローチャートである。
【０１４６】
図７に示された実施例に係るデジタルコンテンツ提供方法は、図１乃至図６ｄに示された実施例に係る運営会社のサーバ１００、ユーザのデバイス１１０、供給会社のサーバ１２０、及び提携会社のデバイス１３０において時系列的に処理されるステップを含む。従って、以下、省略された内容であるとしても、図１乃至図６ｄにおける運営会社のサーバ１００、ユーザのデバイス１１０、供給会社のサーバ１２０、及び提携会社のデバイス１３０に関して記述された内容は、図７に示された実施例に係るデジタルコンテンツ提供方法にも適用される。
【０１４７】
図７を参照すると、ステップＳ７０１において、運営会社のサーバ１００は、提携会社のデバイス１３０から第１のデジタルコンテンツ販売用財貨のチャージ要請を受信する。ここで、第１のデジタルコンテンツ販売用財貨は、第１の財貨及び第２の財貨を含み得る。
【０１４８】
ステップＳ７０３において、運営会社のサーバ１００は、提携会社のデバイス１３０に第１のデジタルコンテンツ販売用財貨を提供する。
【０１４９】
ステップＳ７０５において、運営会社のサーバ１００は、提携会社のデバイス１３０から第１のデジタルコンテンツの数量及びユーザのデバイス１１０の情報を受信する。
【０１５０】
ステップＳ７０７において、運営会社のサーバ１００は、ユーザのデバイス１１０を運営会社のサーバ１００のウェブページへアクセスさせるＵＲＬをユーザのデバイス１１０に送信する。ここで、ウェブページは、第１のデジタルコンテンツの注文コードに該当するバーコードが表示されるように構成され、ＵＲＬは、運営会社のサーバ１００のアドレス及び第１のデジタルコンテンツの注文コードに基づいて生成され得る。
【０１５１】
ステップＳ７０９において、運営会社のサーバ１００は、提携会社のデバイス１３０から、ウェブページから読み出した情報に基づいて生成された第１のデジタルコンテンツの購入要請を受信する。ここで、第１のデジタルコンテンツの購入要請は、ユーザのデバイス１１０に表示されたバーコードの情報を含み得る。
【０１５２】
ステップＳ７１１において、運営会社のサーバ１００は、提携会社のデバイス１３０に提供された第１のデジタルコンテンツ販売用財貨を第１のデジタルコンテンツの数量に対応する分減少させる。
【０１５３】
ステップＳ７１３において、運営会社のサーバ１００は、第１のデジタルコンテンツをユーザのデバイス１１０に提供する。ここで、第１のデジタルコンテンツは、供給会社のサーバ１２０によって提供される第２のデジタルコンテンツを購入できるように構成されたものであり得る。
【０１５４】
図７には示されていないが、ステップＳ７１１において、運営会社のサーバ１００は、第１のデジタルコンテンツの販売価格に対応する分第１の財貨を減少させ、減少した第１の財貨に対して予め設定された割合だけ第２の財貨を増加させる。
【０１５５】
図７には示されていないが、ステップＳ７１１において、運営会社のサーバ１００は、第１の財貨よりも第２の財貨を優先して減少させる。
【０１５６】
上述した説明において、ステップＳ７０１乃至Ｓ７１３は、本発明の具現例により、追加のステップにさらに分割されるか、より少ないステップに組み合わせられ得る。また、一部のステップは必要に応じて省略されても良く、ステップ間の順序が変更されても良い。
【０１５７】
本発明の一実施例は、コンピュータにより実行される媒体に保存されたプログラム又はコンピュータにより実行可能な命令語を含む記録媒体の形態でも具現され得る。コンピュータ読み取り可能な媒体は、コンピュータによってアクセスできる任意の可溶媒体であっても良く、揮発性及び非揮発性の媒体、分離型及び非分離型の媒体を全て含む。また、コンピュータ読み取り可能な媒体は、コンピュータ保存媒体及び通信媒体を全て含み得る。コンピュータ保存媒体は、コンピュータ読み取り可能な命令語、データ構造、プログラムモジュール、又はその他のデータのような情報保存のための任意の方法又は技術で具現された揮発性及び非揮発性、分離型及び非分離型の媒体を全て含む。通信媒体は、典型的にコンピュータ読み取り可能な命令語、データ構造、プログラムモジュール、又は搬送波のような変調されたデータ信号のその他のデータ、又はその他の転送メカニズムを含み、任意の情報伝達媒体を含む。
【０１５８】
上述した本発明の説明は例示のためのものであり、本発明の属する技術分野において通常の知識を有する者であれば、本発明の技術的思想や必須の特徴を変更せずに他の具体的な形態で容易に変形可能であるということを理解できるはずである。それゆえ、上記した実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【０１５９】
本発明の範囲は、詳細な説明よりは後述する特許請求の範囲によって示され、特許請求の範囲の意味及び範囲、並びにその均等概念から導出される全ての変更又は変形された形態が本発明の範囲に含まれることと解釈されなければならない。
【図１】
0006509430.tif 000002
【図２】
0006509430.tif 000003
【図３】
0006509430.tif 000004
【図４】
0006509430.tif 000005
【図５】
0006509430.tif 000006
【図６ａ】
0006509430.tif 000007
【図６ｂ】
0006509430.tif 000008
【図６ｃ】
0006509430.tif 000009
【図６ｄ】
0006509430.tif 000010
【図７】
0006509430.tif 000011